(57)【特許請求の範囲】
【請求項１】
くくり罠用の踏み板セットであって、
捕獲用のロープがセットされるガイドと対象動物の肢を検知するための踏み板本体とを含む踏み板と、
前記踏み板が落とし込まれる筒状の保持台と、
前記踏み板本体の上側で前記保持台の上端の開口を分割するように前記保持台に対し取り付けられる棒状部材とを有する、踏み板セット。
【請求項２】
請求項１記載の踏み板セットにおいて、
前記棒状部材は、前記保持台の上端の開口をほぼ二分割するように配置される、踏み板セット。
【請求項３】
請求項１または２記載の踏み板セットにおいて、
前記ガイドは、上下に旋回して前記ロープを跳ね上げるように前記踏み板本体に取り付けられる一対の跳ね上げ用のガイドを含み、
前記棒状部材は、前記跳ね上げ用のガイドと前記踏み板本体との間に配置される、踏み板セット。
【請求項４】
請求項３記載の踏み板セットにおいて、
前記踏み板は、前記跳ね上げ用のガイドをそれぞれ上下に旋回するように取り付ける金具であって、前記跳ね上げ用のガイドと前記踏み板本体との間に前記跳ね上げ用のガイドが上、前記踏み板本体が下となるように前記棒状部材をセットできる距離が確保されるように設けられた金具を含む、踏み板セット。
【請求項５】
請求項３記載の踏み板セットにおいて、
前記踏み板は、前記一対の跳ね上げ用のガイドをそれぞれ上下に旋回するように取り付ける一対の金具であって、前記棒状部材が上方からセットできる間隔を空けて配置された一対の金具を含む、踏み板セット。
【請求項６】
請求項１ないし５のいずれかに記載の踏み板セットにおいて、
前記棒状部材は前記保持台の上端に着脱可能に取り付けられる、踏み板セット。
【請求項７】
請求項１ないし６のいずれかに記載の踏み板セットにおいて、
前記棒状部材は回転可能に前記保持台の上端に取り付けられる、踏み板セット。
【請求項８】
請求項１ないし７のいずれかに記載の踏み板セットと、
前記踏み板にセットされる捕獲用のロープおよび前記ロープを操作するためのスプリングを含むロープセットとを有する、くくり罠セット。
【発明の詳細な説明】
【技術分野】
【０００１】
本発明は、例えば、シカやイノシシなどの野生動物を捕獲するための動物捕獲用のくくり（括り）罠方式の罠に用いられる踏み板セットおよびくくり罠セットに関するものである。
【背景技術】
【０００２】
特許文献１には、捕獲対象動物の肢を括るループ状の部分を形成可能なワイヤロープと、ワイヤロープに沿って伸縮するコイルバネと、コイルバネの伸長と連動してループ状の部分の径を縮めるように動く第１のユニットと、コイルバネを圧縮させた状態で第１のユニットを作動させないように第１のユニットに対して着脱可能に連結される第２のユニットと、ループ状の部分をセットする第３のユニットであって、ループ状の部分に捕獲対象動物が肢を踏み入れたときに第１のユニットを作動させる第３のユニットとを有するくくり罠方式の罠装置が開示されている。
【先行技術文献】
【特許文献】
【０００３】
【特許文献１】実用新案登録第３１８３５７６号公報
【発明の概要】
【発明が解決しようとする課題】
【０００４】
括り罠（くくり罠）用の仕掛け（くくり罠セット）は、仕掛け用穴に収容（埋設）して使用される踏み板セットと、踏み板セットに掛けられるワイヤロープとワイヤロープを操作するスプリングとのセットとを含む。踏み板は、地面に埋設される、底有または底のない円筒状または角筒状の台座（保持台、埋設台、箱）の上部の開口に配置され、捕獲対象の動物が踏み板を踏んで踏み板が保持台の内部に落下すると、踏み板のガイドに取り付けられた（くくり付けられた）ワイヤロープが踏み板から外れて、動物の肢にくくり付けられる。このため、ワイヤロープにて動物を捕獲することができる。
【０００５】
狩猟には、錯誤捕獲という問題がある。錯誤捕獲とは、都道府県によって保護管理されている獣類、例えばツキノワグマが、捕獲対象獣であるイノシシやシカを捕獲するための罠にかかってしまうことをいう。罠にかかったツキノワグマを放獣する作業は、非常に危険である。このため、獣医などの専門家により麻酔を施して放獣する必要があり、非常にコストがかかる。罠にかかったまま処分されてしまうと、国内のツキノワグマの個体数の減少の要因となる。
【０００６】
くくり罠がくくり付けられる部分の直径を錯誤捕獲の対象であるツキノワグマがかからない程度の大きさにすることにより錯誤捕獲を抑制できる。例えば、踏み板が落下するように設けられる保持台の開口を小さく（狭く）することにより肢の大きなクマなどの動物は罠にかからず、イノシシやシカなどを捕獲することができる。法律、条令などにより、例えば、くくり部の直径が１２ｃｍを超えるものは禁止されている。しかしながら、くくり部の直径が小さくなると、捕獲対象の動物が通過する面積も減るため捕獲率が低下する傾向があった。このため、自治体によっては、地域を分けて１２ｃｍから１５ｃｍにくくり部の直径を広げる緩和措置がとられることもあるが、錯誤捕獲の数は増加する傾向になる。
【課題を解決するための手段】
【０００７】
本発明の一態様は、くくり罠用の踏み板セットであって、捕獲用のロープ（ワイヤロープ）がセットされるガイドと対象動物の肢を検知するための踏み板本体とを含む踏み板と、踏み板が落とし込まれる筒状の保持台と、踏み板本体の上側で保持台の上端の開口を分割するように保持台に対し取り付けられる棒状部材とを有する。捕獲対象の動物の肢が入る（落ちる）ように設けられる保持台の上端の開口を分割するように棒状部材を配置することにより、開口に入るサイズの肢であっても、棒状部材により分割された開口には入らないサイズの肢であれば、棒状部材に引っかかり、開口を介して保持台には落ちない。このため、踏み板は落下せず罠は動作しない。棒状部材により分割された開口に入るサイズの肢であれば、棒状部材に引っかからず、開口を介して保持台に落下するので、踏み板が落下し罠が動作する。一方、罠の有効面積である、保持台の開口そのもののサイズ（面積）は実質的に変わらないので、捕獲率が大幅に低下することは抑止できる。したがって、錯誤捕獲が少なく、捕獲対象の動物を効率よく捕獲できるくくり罠用の踏み板セットを提供できる。
【０００８】
典型的には、棒状部材は、保持台の上端の開口をほぼ二分割するように配置されてもよい。棒状部材は、保持台の上端の開口を三分割以上に分割するように配置されてもよい。複数の棒状部材、または複数の棒状部材が組み合わされた十字状または格子状などの部材により、開口が縦横に複数に分割されてもよい。
【０００９】
踏み板が、上下に旋回してロープを跳ね上げるように踏み板に取り付けられる一対の跳ね上げ用のガイドを含む、跳ね上げ式のくくり罠用の踏み板セットにおいては、棒状部材は、跳ね上げ用のガイドと踏み板との間に配置される。すなわち、棒状部材は、跳ね上げ用のガイドが上に、踏み板が下になるように配置され、ロープ（ワイヤロープ）は棒状部材の上になる跳ね上げ用のガイドに取り付けられる。跳ね上げ用のガイドは、踏み板と連動し、棒状部材とは干渉せずに動作できる。踏み板は、跳ね上げ用のガイドをそれぞれ上下に旋回するように取り付ける金具であって、跳ね上げ用のガイドと踏み板との間に棒状部材がセットできる距離が確保されるように設けられた金具を含んでもよい。
【００１０】
踏み板は、一対の跳ね上げ用のガイドをそれぞれ上下に旋回するように取り付ける一対の金具であって、棒状部材が上方からセットできる間隔を空けて配置された一対の金具を含んでもよい。棒状部材を踏み板の上側から設定（配置）できるので、効率よく組み立てできる踏み板セットを提供できる。
【００１１】
棒状部材は保持台の上端に着脱可能に取り付けられてもよい。踏み板を保持台に設置した後に、保持台の開口を分断する棒状部材を配置できる。棒状部材は回転可能に保持台の上端に取り付けられてもよい。棒状部材により分断された開口に落ちるサイズの肢の動物であれば、肢の一部が棒状部材に載ったときに棒状部材が回転することにより保持台に落下し、踏み板を作動させることにより罠に掛けることができる。
【００１２】
本願の他の態様の１つは、上記の踏み板にセットされる捕獲用のロープおよびロープを操作するためのスプリングを含むロープセットとを有するくくり罠セットである。
【図面の簡単な説明】
【００１３】
【図１】くくり罠セットの概要を展開して示す図。
【図２】くくり罠が設置された状態を示す平面図。
【図３】くくり罠が設置された状態を示す側面図。
【図４】くくり罠が動作した状態を模式的に示す側面図。
【発明を実施するための形態】
【００１４】
図１に、動物の肢（手足）をロープ（ワイヤロープ）で括る（縛る、締める）ことにより捕獲するくくり罠用のセット（くくり罠セット）１の概要を、主要な部品を展開して示している。くくり罠セット１は、踏み板１１を含む踏み板セット１０と、捕獲用のロープ（ワイヤロープ）５１を含むロープセット（ワイヤロープセット）５０とを含む。踏み板セット１０は、捕獲用のロープ５１がセットされるガイド２０を含む踏み板１１と、踏み板１１が落とし込まれる筒状の保持台３０と、保持台３０の上端３１の開口３２を分割するように取り付けられる棒状部材４０とを含む。
【００１５】
ロープセット５０は、踏み板１１のガイド２０にセットされる捕獲用のロープ５１と、ロープ５１を操作するためのスプリング５５を含む。ロープ５１は、ガイド２０に、先端５２がループ状になるようにセットされる。踏み板１１に捕獲対象の動物の肢が乗り、踏み板１１が中空の保持台（保持ユニット、支持台、ホルダー）３０の内部３３に落下すると、ロープの先端５２がガイド２０から外れ、スプリング５５によりループ状の先端５２が小さくなり、動物の肢にくくり付けられる。ロープ５１の他の端５３は杭、近傍の樹木などを用いて動物が逃げないように固定されており、ロープセット５０により捕獲対象の動物を捕獲できる。
【００１６】
図２に、くくり罠セット１が組み立てられた状態を平面で示し、図３に、くくり罠セット１により組み立てられたくくり罠２が地表に設定された状態を示している。くくり罠２は、捕獲対象の動物が行き来する場所などの地面（地表）５に配置され、表面を落ち葉や砂などにより覆い、捕獲対象の動物がくくり罠２を通過するのを待つ。くくり罠２は、地表５に埋設された保持台（保持ユニット、埋設台、ホルダー）３０の踏み板１１に捕獲対象の動物の肢７が落ちると動作する。
【００１７】
保持台３０は、内部３３が中空の筒状の台であり、底が設けられた箱状であってもよく、底がない筒状であってもよい。保持台３０は、円筒状であってもよく、角筒状であってもよく、断面が楕円などであってもよい。保持台３０は、内部３３に、踏み板１１が落下するスペースが確保されていればよい。保持台３０は、上端３１に踏み板１１の少なくとも一部または踏み板１１のガイド２０に装着されたロープ５１が引っかかり、踏み板１１に荷重が加わると、踏み板１１が内部３３に落下するようになっていればよい。保持台３０は、木製であってもよく、樹脂製または金属製であってもよい。
【００１８】
踏み板１１は、踏み板１１が保持台３０に落下するとロープ５１が外れる機構を備えていればよい。本例に示す踏み板１１は、ロープ５１が外れると跳ね上がる、跳ね上げタイプであり、対象動物の肢７を検知する踏み板本体（本体、センサー部分）１２と、本体１２に対し、上下に旋回してロープ５１を跳ね上げるように取り付けられる一対の跳ね上げ用のガイド２１ａおよび２１ｂと、ガイド２１ａよび２１ｂをそれぞれ上下に旋回するように取り付ける一対の金具２５ａおよび２５ｂとを含む。踏み板本体１２は、保持台３０の開口３２より一回り小さい形状であってもよく、例えば、長方形、正方形、円形、楕円形などであってもよい。踏み板本体１２は、対象動物の肢７が上に載ると、速やかに、基本的には抵抗なく保持台３０の内部３３に落下する形状であって、保持台３０の開口３２の上の肢７により効率よく踏まれる形状であってもよい。踏み板本体１２の一例は、木製、樹脂製または金属製の板状の部材であるが、網状の部材などの肢７が載る、または引っかかる部材であってもよい。
【００１９】
跳ね上げ用のガイド２１ａおよび２１ｂは、Ｕ字型、Ｖ字型またはＣ字型（コ字型）などの内部に肢７が通過する空間が形成でき、その外側にループ状のロープ５２を保持できる形状を備えていればよい。ガイド２１ａおよび２１ｂは、開いた状態では、踏み板本体１２とともに保持台３０の上端３１にセットしたときに、ガイド２１ａおよび２１ｂの外側の一部２２が上端３１に引っかかってガイド２１ａおよび２１ｂを含めた踏み板１１を、内部３３の上端３１に近い開口３２内に保持し、閉じた状態では、踏み板本体１２とともに保持台３０の内部３３に落下する形状であればよい。
【００２０】
跳ね上げ用のガイド２１ａおよび２１ｂの一例は、踏み板本体１２の縁１２ａに沿って延びたＵ字状の金属製のガイドであって、Ｕ字状の底の部分が踏み板本体１２の外側まで延びた（突き出た）部分２２となっており、保持台３０の上端３１に引っかかるようになっている。ガイド２１ａおよび２１ｂの外周面２３は、ロープ５１を固定あるいは支持しやすいようにＶ字型またＵ字型に凹んでいてもよい。ガイド２１ａおよび２１ｂは、開いた状態で保持台３０に設置したり、ロープ５１をセットしやすいように、開いた状態を維持するストッパ２９を設置できるようになっていてもよい。ストッパ２９の一例はＵ字型あるいはコ字型の棒であり、先端をガイド２１ａおよび２１ｂにそれぞれ設けられた孔に差し込むことにより、ガイド２１ａおよび２１ｂの上下方向の動き（回転）を阻害できる。
【００２１】
保持台３０の上端３１の開口３２を分割するように取り付けられる棒状部材４０は、直径が２〜２０ｍｍ程度の金属製のシャフト４１と、その両端に設けられた鍔４２とを含む。シャフト４１の直径は、錯誤捕獲の可能性がある動物の体重に耐えられる強度が得られるものであればよく、例えば、５〜１５ｍｍ程度であってもよい。保持台３０の内側の、開口３２を二分割する位置に、シャフト４１が回転可能に取り付けられる受け金具３５が取り付けられており、棒状部材４０の一端側を受け金具３５に装着し、他端側を保持台３０の縁３６に乗せることにより、図１に破線で示すように、開口３２を所定の位置で分割できる。
【００２２】
受け金具３５の一例は、上端にＵ字型のシャフト受け入れようの凹みまたは溝が形成された金属片である。保持台３０の一方の側壁３８の中央に、ロープ５１をガイド２１ａおよび２１ｂに装着するためのＵ字型の凹み３７が設けられており、受け金具３５は凹み３７に対し、縁３６と同じ高さに棒状部材４０を保持できるように設けられている。棒状部材４０は保持台３０に対し、着脱可能に、また、回転可能に取り付けられるため、罠が働いたときなどに紛失しないように紐４９などにより保持台３０に接続されていてもよい。
【００２３】
棒状部材４０は、対象動物の肢７が踏み板１１、具体的には踏み板本体１２に載ったときに踏み板１１が保持台３０の内部３３に落下する（落とし込まれる）ことを阻害しないように、保持台３０の開口３２内に踏み板本体１２が設定された後に、踏み板本体１２の上側から、開口３２を分割するように設定される。踏み板本体１２には、跳ね上げ用のガイド２１ａおよび２１ｂをそれぞれ上下に旋回するように取り付ける一対の金具２５ａおよび２５ｂが取り付けられており、それらの金具２５ａおよび２５ｂの間に棒状部材４０が上方からセットできる隙間（間隔）２６が設けられていてもよい。
【００２４】
また、棒状部材４０は、対象動物の肢７が踏み板本体１２に載ったときにガイド２１ａおよび２１ｂにより跳ね上げられるロープ５１の動きを阻害しないように、ガイド２１ａおよび２１ｂと踏み板本体１２との間に配置される。すなわち、図３に示すように、棒状部材４０の軸４１に対し、踏み板本体１２が下、ガイド２１ａおよび２１ｂが上となり、ガイド２１ａおよび２１ｂに装着されたロープ５１が棒状部材４０の上になるように、棒状部材４０は保持台３０の上端３１に設置される。このため、跳ね上げ用のガイド２１ａおよび２１ｂと踏み板本体１２とを接続する金具２５ａおよび２５ｂは、ガイド２１ａおよび２１ｂと、踏み板本体１２との間に棒状部材４０、具体的には軸４１をセットできる距離が確保されるように延びた部分２７を備えていてもよい。
【００２５】
踏み板本体１２とガイド２１ａおよび２１ｂとの間に、棒状部材４０の軸４１が入る距離が確保される場合は、ガイド２１ａおよび２１ｂと重なる場所に棒状部材４０をセットすることが可能である。ただし、棒状部材４０をガイド２１ａおよび２１ｂの上側からセットすることは難しくなる。例えば、２本の棒状部材４０を、開口３２を三分割するように配置してもよい。棒状部材４０をガイド２１ａおよび２１ｂと交差する方向、すなわち、図示している棒状部材４０と直交する方向に配置することも可能である。また、棒状部材４０の位置を決めるために受け金具３５とともに、あるいは別に、保持台３０の縁にＵ字型あるいはＶ字型の溝を設けてもよい。
【００２６】
図２および図３に、棒状部材４０を含む踏み板セット１０に、ロープセット５０のロープ５１を組み合わせて、くくり罠セット１によりくくり罠２を設置した例を示している。図２はストッパ２９が取り付けられた状態を示し、図３はストッパが外されて罠として機能する状態を示している。棒状部材４０により、保持台３０の開口３２が分割され（本例においては二分割され）、分割された開口３２ａに入るサイズの肢７を持った動物のみが捕獲され、分割された開口３２ａに入らないサイズの肢８を持った動物は捕獲されない。
【００２７】
例えば、開口３２の内寸の一例は、幅１２ｃｍ、長さ２０ｃｍであり、棒状部材４０により二分割されている場合、分割された開口３２ａのサイズは幅１２ｃｍ、長さ１０ｃｍ程度となる。したがって、クマのように、肢８のサイズが、例えば１２ｃｍ以上の大きな動物は、分割された開口３２ａには入らず、踏み板本体１２に載る可能性はほとんどないので、このくくり罠２では捕獲されない。一方、イノシシ、シカのように肢７のサイズが、例えば、１０ｃｍ以下の動物は、分割された開口３２ａに入る。
【００２８】
このため、図４に示すように、肢７が踏み板本体１２に載り、踏み板本体１２が落ち、ガイド２１ａおよび２１ｂによりロープ５１が跳ね上げられることにより、肢７にロープ５１がくくり付けられて捕獲される。また、分割された開口３２ａに入る肢７の動物に対しては、棒状部材４０で分割された開口３２ａのいずれでもくくり罠２は動作する。したがって、サイズの小さな肢７を持った動物に対しては、分割された開口３２ａではなく、開口３２の全体が罠として有効な面積となり、捕獲効率が低下することを抑止できる。
【００２９】
さらに、棒状部材４０は回転するように保持台３０に取り付けられている。このため、肢７が棒状部材４０の上に載った場合でも、棒状部材４０が回転することにより肢７が前後または左右に移動し、いずれかの分割された開口３２ａに導かれる。このため、サイズの小さな肢７の動物の捕獲効率が棒状部材４０により低下することを抑制できる。棒状部材４０はそれ自体が回転するものであってもよく、さらに、軸４１の周りに回転をスムーズにするためのパイプが装着されたものであってもよい。
【００３０】
このように、開口３２を分割する棒状部材４０を備えた踏み板セット１０を用いることにより、肢のサイズの小さな動物に対しては罠として機能する複数の小区画が連続（隣接）して配置されたくくり罠２であって、肢のサイズの大きな動物に対しては罠として機能しないくくり罠２を提供できる。したがって、クマのような肢サイズの大きな動物の錯誤捕獲を防止でき、イノシシ、シカのような肢サイズの小さな動物に対しては捕獲効率の高い罠として機能するくくり罠２を提供できる。
【００３１】
なお、上記では跳ね上げ式のくくり罠２を設置するための踏み板セットを例に本発明を説明しているが、ロープを跳ね上げない方式のくくり罠においても本発明を適用できる。ロープを跳ね上げない方式のくくり罠用の踏み板セットにおいては、ロープを保持するガイドの上に棒状部材を配置して、踏み板がセットされる開口を分割してもよい。また、棒状部材に掛かるように、体重の軽い小動物に限定して支持できるような小枝、布などを配置することも可能であり、小動物による誤動作により罠の捕獲率が低下してしまうことを抑制できる。したがって、捕獲対象のイノシシ、シカなどに限定して捕獲でき、その捕獲効率を高くできる罠を提供できる。
【符号の説明】
【００３２】
１  くくり罠セット、  ２  くくり罠
１０  踏み板セット、  １１  踏み板、  １２  踏み板本体、  ２０  ガイド
３０  保持台、  ３１  上端、  ３２  開口
５０  ロープセット、  ５１  ロープ
【要約】
【課題】クマなどの錯誤捕獲を抑制でき、イノシシ、シカなどの捕獲効率の低下を抑制できるくくり罠用の踏み板セットを提供する。
【解決手段】くくり罠用の踏み板セットであって、捕獲用のロープがセットされるガイドを含む踏み板と、踏み板が落とし込まれる筒状の保持台と、保持台の上端の開口を分割するように取り付けられる棒状部材とを有する踏み板セットを提供する。開口を分割することにより、肢の大きな動物の錯誤捕獲を防止でき、肢の小さな動物の捕獲効率が低下することを防止できる。
【選択図】図１【図１】
0006908305.tif 000002
【図２】
0006908305.tif 000003
【図３】
0006908305.tif 000004
【図４】
0006908305.tif 000005